(57)【要約】【課題】簡易且つ迅速な封入封緘を可能として事務合理化の要請を十分に満足することができ、しかも簡易に作製することができる封書用シートを提供する。【解決手段】所定折目で折り畳み、所定箇所を接着することにより内封物が封入された封筒２を形成する情報シート片を連設した封書用シート１である。一対の封筒本体片３ａ、３ｂと、一対の封筒本体片３ａ、３ｂの一端部に折目２１を介して連設される封緘片４と、一対の封筒本体片３ａ、３ｂの他端部に折目２４を介して連設された複数片の情報シート片５とを有する。所定折り畳み状態で互いに重なり合う面の幅方向両縁部に接着部９が連続的に設けられる。封緘片４と封筒本体片３ａとの互いに重なり合う面に封筒２の開口を封緘するための封緘用接着部１０が設けられる。各接着部９，１０に塗布される接着剤が、各接着部同士が重ね合わされた状態で加圧されることにより接着される感圧接着剤である。【選択図】　　図１
2004131115.tif 000002
【特許請求の範囲】
【請求項１】
略平行な折目に沿って折り畳み、所定箇所を接着することにより情報シート片を連設した封筒を形成する封書用シートであって、
上記封筒を構成する一対の封筒本体片と、該一対の封筒本体片の一端部に折目を介して連設される封緘片と、上記一対の封筒本体片の他端部に折目を介して連設される一片ないし複数片の情報シート片とを有し、
該一片ないし複数片の情報シート片を上記一対の封筒本体片の間に折り畳んだ際の互いに重なり合う面の左右両端縁部に接着部が連続的ないし断続的に設けられる一方、上記封緘片を折り返した状態で上記封筒本体片と互いに重なり合う面に上記封筒の開口部を封緘するための封緘用接着部が設けられ、
上記各接着部には、予め各接着部同士が互いに重ね合わされた状態で加圧することにより接着することができる感圧接着剤を塗布し、上記情報シート片に、所定の個人情報を印字または記入した後、一対の封筒本体片に向けて折り畳み、上記一対の封筒本体片と封緘片とによって、上記折り畳まれた状態の情報シート片を巻き込んだ状態で加圧することにより、各接着部を接着して封止できるようにしたことを特徴とする封書用シート。
【請求項２】
請求項１記載の封書用シートにおいて、上記情報シート片は、複数片からなることを特徴とする封書用シート。
【請求項３】
請求項２記載の封書用シートにおいて、情報シート片が蛇腹状に折り畳まれるように構成されていることを特徴とする封書用シート。
【請求項４】
請求項１ないし請求項３のいずれか１項に記載の封書用シートにおいて、上記折り畳み状態で一対の封筒本体片のうち情報シート片が連設された一方の封筒本体片からの吸引力を上記情報シート片に伝達するための一個ないし複数個の吸気小孔が設けられていることを特徴とする封書用シート。
【請求項５】
請求項１ないし請求項４のいずれか１項に記載の封書用シートにおいて、上記封筒本体片と上記各情報シート片の左右両端縁部における上記接着部の内側には、該接着部を切り離すためのミシン目が設けられていることを特徴とする封書用シート。
【請求項６】
請求項１ないし請求項５のいずれか１項に記載の封書用シートにおいて、宛名や宛先等の宛名情報が記載される宛名情報欄と、個人情報が記載される個人情報欄とが少なくとも同一面に設けられていることを特徴とする封書用シート。
【発明の詳細な説明】
【０００１】
【発明の属する技術分野】
この発明は、コンピューターによって入力管理されている顧客等の個人情報、例えば銀行口座の出納明細や電話料金の請求書等を印字または記入する一片ないし複数片の情報シート片に、封筒となる一対の封筒本体片と封緘片とを連設して、情報シート片を一対の連続した封筒本体片中に折り機等を用いて折り込み、かつ封緘片を折り返して、この折り畳み状態で所定箇所を接着することにより内封物が封入された封筒を形成することができる封書用シートに関する。
【０００２】
【従来の技術】
この種の封書用シートにおいては、例えば宛名や宛先等の宛名情報が表示され折目を介して連設された一対の封筒本体片と、この一対の封筒本体片の一端部に折目を介して連設された封緘片と、上記封筒本体片の他端部に折目を介して連設された情報シート片とを有する一定幅の封筒用長尺シートが知られている（例えば特許文献１）。
【０００３】
この封筒用長尺シートは、上記情報シート片が内側に折り込まれた状態で長手方向に巻き折られ、この折り畳み状態で重ね合わされる長手方向両縁部に感圧接着剤が塗布されており、折り畳み状態で加圧されることによりこの長手方向両縁部が封止されて封筒が形成されるように構成されている。一方、この封筒用長尺シートの封緘片は、長尺シートが折り畳まれた状態で封筒本体片に重ね合わされ、この重合面には再湿接着剤が塗布されており、この再湿接着剤により人手を用いて封緘片が封筒本体片に封止接着されるように構成されている。
【０００４】
【特許文献１】
特開平１１−１４７５４１号公報
【０００５】
【発明が解決しようとする課題】
しかしながら、上記封筒用長尺シートは、その両縁部に塗布された接着剤と封緘片に塗布された接着剤が異なるため、例えば封筒用長尺シートにより形成される封筒に、上記封筒用長尺シートとは別個独立の内封物を封入しない場合でも封筒用長尺シートの両縁部に塗布された感圧接着剤の接着作業と封緘片に塗布された再湿接着剤の接着作業との２工程を強いられ、簡易且つ迅速に処理することができないという問題があった。
【０００６】
しかも、上記封筒用長尺シートは、その使用段階に上記のような不便さがあるだけでなく、このシート自体を作製する段階でも、感圧接着剤の塗布工程と再湿接着剤の塗布工程を要し、簡易に製作することができないという問題があった。
【０００７】
本発明は、上記従来の封書用シートの改良に係るものであり、簡易且つ迅速な封入封緘を可能として事務合理化の要請を十分に満足することができ、しかも簡易に作製することができる封書用シートを提供することを目的とする。
【０００８】
【課題を解決するための手段】
上記目的を達成するため、この発明に係る封書用シートは、略平行な折目に沿って折り畳み、所定箇所を接着することにより情報シート片を連設した封筒を形成する封書用シートであって、上記封筒を構成する一対の封筒本体片と、該一対の封筒本体片の一端部に折目を介して連設される封緘片と、上記一対の封筒本体片の他端部に折目を介して連設される一片ないし複数片の情報シート片とを有し、該一片ないし複数片の情報シート片を一対の封筒本体片の間に折り畳んだ際の互いに重なり合う面の左右両端縁部に接着部が連続的ないし断続的に設けられる一方、上記封緘片を折り返した状態で上記封筒本体片と互いに重なり合う面に上記封筒の開口部を封緘するための封緘用接着部が設けられ、上記各接着部には、予め各接着部同士が互いに重ね合わされた状態で加圧することにより接着することができる感圧接着剤を塗布し、上記情報シート片に、所定の個人情報を印字または記入した後、一対の封筒本体片に向けて折り畳み、上記一対の封筒本体片と封緘片とによって、上記折り畳まれた状態の情報シート片を巻き込んだ状態で加圧することにより、各接着部を接着して封止できるようにしたことを特徴とするものである。ここで、上記各折目は封書用シートに予め設けられているものであっても良いが、この封書用シートを折り機等により折り曲げることによって形成される折目であっても良い。
【０００９】
上記構成によれば、接着部と封緘用接着部との各接着部に塗布される接着剤として感圧接着剤が使用されるので、例えばこの封書用シートにより形成される封筒にこの封書用シートとは別個独立の内封物を封入しない場合には、加圧するという一工程で接着部及び封緘用接着部をそれぞれ接着することができ、これにより内封物が封入された状態の封筒を簡易かつ迅速に形成することができる。しかも、各接着部に塗布される接着剤が各接着部同士が重ね合わされた状態で加圧されてはじめて接着することができる感圧接着剤が用いられているので、例えば封筒内に別個独立の内封物を封入する場合には、封緘片を封筒本体片に重ね合わせない状態で加圧することにより、封緘用接着部に支障を来すことなく接着部を接着して封緘片側に開口した封筒を形成することができ、この開口から別個独立の内封物を封筒内に挿入し、封緘片を折り返して封緘用接着部同士を重ね合わせた後さらに加圧することにより別個独立の内封物をも封入した封筒を形成することができる。したがって、この封書用シートは、別個独立の内封物を封入する場合にも使用することができ、その使用にあたっての利便性が向上する。また、接着部と封緘用接着部とに塗布される接着剤が同一のものであるので、一連の塗布作業で作製することができ、簡易に作製することができる。
【００１０】
この発明において、上記情報シート片は、複数片からなるのが好ましい。このように構成すれば、複数の情報シート片に亘ってより多くの関連する情報を盛り込むことができると共に、加圧するという一工程で必要情報量を満載した内封物を封入することができる。
【００１１】
また、この発明において、情報シート片が蛇腹状に折り畳まれるように構成されているのが好ましい。このように構成すれば、既存の折り機を用いることができ、より安価に上記内封物が封入された封筒を作製することができる。
【００１２】
さらに、この発明において、上記折り畳み状態で一対の封筒本体片のうち情報シート片が連設された一方の封筒本体片からの吸引力を上記情報シート片に伝達するための一個ないし複数個の吸気小孔が設けられているのが好ましい。このように構成すれば、別個独立の内封物を封入する場合に封筒の開口を、情報シート片をこの情報シート片が連設された一方の封筒本体片側に偏位させた状態で拡開することができ、別個独立の内封物を容易に封入することができる。すなわち、封筒内部に独立の内封物を封入する場合には、通常、封筒の両外側面を吸引して封筒開口を拡開させて独立の内封物を挿入するものとなされているが、この封書用シートにより形成された封筒は封筒本体片と一体に設けられた情報シート片が内側に折り込まれた状態で形成されているので、この情報シート片が邪魔になって独立の内封物を挿入し難くなる虞がある。したがって、封筒の開口を拡開させるための吸引力を情報シート片に伝達させるため、この封書用シートの適所に吸気小孔を設けておけば、この吸気小孔をとおして吸引力が情報シート片に伝達され、情報シート片が一方の封筒本体片側に偏位して、独立の内封物を容易に封入することができる。
【００１３】
また、上記封筒本体片と上記各情報シート片の左右両端縁部における上記接着部の内側に、該接着部を切り離すためのミシン目が設けられているのが好ましい。このように構成すれば、ミシン目に沿って接着部を切り落とすことができ、開封作業における作業効率を向上することができ、また内封物である情報シート片を毀損することなく、開封することができる。
【００１４】
宛名や宛先等の宛名情報が記載される宛名情報欄と、個人情報が記載される個人情報欄とが少なくとも同一面に設けられているのが好ましい。このように構成すれば、プリンターによる一連の作業として宛名情報とその宛名人の個人情報を印字することができ、しかもこれらの印字を一連の工程で行うことにより、宛名情報とその宛名情報により特定される個人情報とに齟齬を来さないようにすることができ、誤送付を確実に防止することができる。
【００１５】
【発明の実施の形態】
この発明に係る封書用シートを図面に示された一実施形態に基づいて説明する。
【００１６】
図１は、本実施形態に係る封書用シートを示す平面図であり、図２は同封書用シートの背面図である。ここで、この封書用シート１の表面とは、折り畳み状態で封筒２の外側面２ａを含む面をいうものとする。
【００１７】
この封書用シート１は、コート紙、上質紙等の紙等からなる一定幅の帯状長尺シートであり、所定方向に折り畳まれ、所定箇所が接着されることにより、内封物が封入された内封物一体型封筒を形成するものである。本実施形態の封書用シート１は、その幅が定形郵便の長辺長さに設定され、その長手方向に沿って所定の間隔でシートの幅方向に延びる複数本（本実施形態では５本）の折目２０〜２４が略平行に設けられ、折り畳み状態で定形郵便大の長方形状の封筒２が形成されるものとなされている。
【００１８】
図３は、本実施形態に係る封書用シート１により形成された内封物一体型の封筒を示す平面図であり、図４は、図３におけるＩＶ−ＩＶ線断面図である。図３は、図３におけるＶ−Ｖ線断面図である。
【００１９】
なお、本実施形態では、封書用シート１は、定形郵便の長辺長さをその幅とした長尺シートが用いられているが、定形郵便の短辺長さをその幅とした長尺シートを用いるものであっても良い。また、この封書用シート１により形成される内封物一体型封筒２は、定形郵便大、すなわち、長辺１４〜２３．５ｃｍ（本実施形態では２３．５ｃｍ）で、短辺９〜１２ｃｍ（本実施形態では１２ｃｍ）に設定されているが、封筒２の大きさはこれに限るものではない。ただし、汎用性や送料等の使用勝手の観点から上記のように定形郵便大の封筒２とするのが好ましい。
【００２０】
そして、この封書用シート１は、封筒２を構成し折目２０を介して連設された一対の封筒本体片３ａ，３ｂと、この一対の封筒本体片３ａ，３ｂの一端部に折目２１を介して連設された封緘片４と、上記一対の封筒本体片３ａ，３ｂの他端部に折目２４を介して連設された内封物を構成する複数片（本実施形態では３片）の情報シート片５とを有し、少なくともこれらの封筒本体片３、封緘片４、情報シート片５が一連一体に設けられている。
【００２１】
封筒本体片３と封緘片４とは、図４に示すように、各折目２０，２１を同一方向に折り曲げ（例えば山折りまたは谷折り）、すなわち巻き折りすることにより、封筒２が形成される。
【００２２】
この一対の封筒本体片３ａ，３ｂは、それぞれ封書用シート１の長手方向に対応する長さが定形郵便の短辺長さに設定され、図３及び図４に示すように、巻き折り状態において定形郵便大となるようになされている。一対の封筒本体片３ａ，３ｂのうちのいずれか一方３ａにおける表面（折り畳み状態における封筒２の外側面２ａ）所定位置には、宛名及び宛先等の宛名情報が記載される宛名情報欄６が設けられている。この宛名情報欄６は、この欄自体を印刷等により封筒本体片３の表面に設けるものであっても良いし、この欄を宛名情報を記載するための空白部として設けるものであっても良い。図１及び図３は、空白の宛名情報欄６に宛名情報が印字等により記載された状態で示している。他方の封筒本体片３ｂにおける表面は、例えば広告や差出人に関する情報を印刷等するようにしてもよい。なお、本実施形態では、一対の封筒本体片３ａ，３ｂのうち、情報シート片５が連設されている封筒本体片３ａに宛名情報欄６が設けられているが、封緘片４が連設されている封筒本体片３ｂに宛名情報欄６が設けられているものであっても良い。
【００２３】
また、一対の封筒本体片３ａ，３ｂのうち、情報シート片５が連設された封筒本体片３ａには、封入封緘機にセットされた場合に、吸いだこが配置される所定位置に多数の微小径の吸気小孔７が設けられている。この吸気小孔７は、後述する情報シート片５に設けられる吸気小孔７と協働して、上記封書用シート１により形成された封筒２に別個独立の内封物を封入する場合に、上記吸いだこによる吸引力を、他方の封筒本体片３ｂに当接する情報シート片５に伝達するためのものである。この吸気小孔７の数、形状、大きさ等は、特に限定するものではないが、上記吸気小孔７を通じて内封物に記載されている情報を外部から読み取ることができない程度に設定される。
【００２４】
なお、上記吸いだこは、例えば封入封緘機に設けられ、封筒２の表裏両面側から吸い上げて封筒２を固定し、あるいは封筒２の開口を拡開するためのものである。
【００２５】
封緘片４は、図３及び図４に示すように、上記一対の封筒本体片３ａ，３ｂにより形成される封筒２の開口を封緘するためのものであり、図１及び図２に示すように、封書用シート１の長手方向一端部に位置するものとなされている。すなわち、この封緘片４は、一対の封筒本体片３ａ，３ｂのうち情報シート片５が連設されていない封筒本体片３ｂの側縁部に折目２１を介して連設され、折り畳まれた情報シート片５を内側にして、この情報シート片５の周りを一対の封筒本体片３ａ，３ｂとともに巻き折りして、情報シート片５が連設されている封筒本体片３ａの上縁部に貼着される。
【００２６】
一方、情報シート片５は、その封書用シート１の長手方向における長さが封筒本体片３の対応する辺長さを上限として適宜設定される。本実施形態では、情報シート片５は、その長さが定形郵便の短辺長さよりも若干短く設定され、折目２２〜２４を介して３片連設されているが、その枚数は問わない。また、各情報シート片５の長さは、本実施形態のように統一して同じ長さに揃えるようにしても良いし、あるいは情報シート片５ごとに異なる長さに設定しても良い。
【００２７】
また、情報シート片５は、図１に示すように、その表面側に、すなわち封書用シート１における宛名情報欄６が設けられた面と同一面側に、名宛人特有の情報である個人情報を含む各種情報が記載される個人情報欄８が設けられている。この個人情報欄８は、各情報シート片５ごとにあるいは隣接する一片ないし複数片の情報シート片５に跨って設けられている。そして、この個人情報欄８には、例えば銀行口座の出納明細や電話料金の請求書等、当該名宛人特有の個人情報が印字または記入されている。なお、ここにいう個人情報とは、自然人のみならず、法人等全ての主体に関する情報をいう。
【００２８】
さらに、折り畳み状態で上記封緘片４が連設された封筒本体片３ｂの内面に当接する情報シート片５を除く複数の情報シート片５には、図３及び図４に示すように、折り畳み状態で封筒本体片３ａに設けられた吸気小孔７に連通する多数の微小径の吸気小孔７が設けられている。本実施形態では、封筒本体片３に設けられた上記吸気小孔７と上記情報シート片５に設けられた吸気小孔７とが、封書用シート１の折り畳み状態で、貫通状に連通するように設けられている。これらの吸気小孔７は、上記したように封筒本体片３ａ側からの吸引力を情報シート片５、特に封緘片が連接された封筒本体片３ｂの内面に当接する情報シート片５に伝達するためのものである。なお、情報シート片５に設けられる吸気小孔７は、各吸気小孔７が貫通状に設けられるものに限定されるものではなく、例えば封筒本体片３ａ及び各情報シート片５に設けられた吸気小孔７が千鳥状配置に設けられるものであっても良い。ただ、迅速に封筒本体片３ｂに当接する情報シート片５に吸引力を伝達させる観点から、これらの吸気小孔７の配置は、貫通状に連通するように設けられるのが好ましい。
【００２９】
而して、封書用シート１は、宛名、宛先等の宛名情報欄６と個人情報欄８とが同一面、すなわち表面に設けられている。そして、この宛名情報欄６と、個人情報欄８に、対応する各情報を印字等により記載する場合には、後述するように、例えばプリンター等で一連の工程により一挙に記載することができる。このように、一連の工程により一挙に宛名情報と個人情報が記載されれば、宛名情報と個人情報との齟齬を確実に防止して、これらの情報の不一致による誤送付を防止することができる。
【００３０】
また、この封書用シート１は、その表面側において、図１に示すように、その一連の情報シート片５における幅方向両縁部に感圧接着剤が塗布された接着部９が封書用シート１の長手方向に沿って細長帯状に設けられているとともに、封筒本体片３における上記封緘片４が重ね合わされる面の縁部に感圧接着剤が塗布された封緘用接着部１０が長尺の封書用シート１の幅方向に沿って設けられている。
【００３１】
一方、封書用シート１は、その裏面側において、図２に示すように、幅方向両縁部における全長に亘って感圧接着剤が塗布された接着部９が設けられていると共に、封緘片４における上記封筒本体片３ｂが連設された端縁部側と反対側の端縁部に感圧接着剤が塗布された封緘用接着部１０が封書用シート１の幅方向に沿って設けられている。
【００３２】
すなわち、上記接着部９は、図４及び図５に示すように、封書用シート１の封筒２形成時における情報シート片５を含む折り畳み状態において、互いに重なり合う面の左右両縁部に連続的に設けられ、この接着部９の互いに重なり合う対応部分同士が接着されることにより左右の短辺部の全てを封止して長辺部の一方向が開口した封筒２を形成する。一方、封緘用接着部１０は、封緘片４をこの封緘片４が連設された封筒本体片３と異なる封筒本体片３に重ね合わされるように折り返した状態で、封緘片４と封筒本体片３の互いに重なり合う面に設けられ、封緘片４に設けられた封緘用接着部１０と封筒本体片３に設けられた封緘用接着部１０とが接着されることにより、上記封筒２の長辺側の開口を封緘する。
【００３３】
この接着部９及び封緘用接着部１０には、予め感圧接着剤が塗布されている。
この感圧接着剤は、感圧接着剤が塗布された部分同士が重ね合わされた状態で加圧されることによりはじめて接着されるものであり、重ね合わされた面の一方にのみ感圧接着剤が塗布されている状態では、例え加圧したとしても接着されないものである。感圧接着剤の成分等を特に限定するものではなく、公知の感圧接着剤が用いられ、例えばスチレン、アクリル酸アルキルエステル、アクリル酸共重合体、水性エマルジョン等の混合物が用いられる。また、この感圧接着剤は、剥離して内封物が脱落しないように、永久接着されるものが好ましい。この感圧接着剤を接着するには、上述のように各接着部同士を重ね合わせ、この状態において所定圧力で加圧すれば良い。この加圧する場合の圧力は、例えばコート紙ならば約５００ｋｇｆ／ｃｍ２以上、上質紙ならば約７００ｋｇｆ／ｃｍ２以上に設定するのが好ましい。このように所定値以上の圧力で加圧することにより強固に接着することができる。また、ここにいう感圧接着剤には一定の加熱状態で加圧することにより良好な接着性を示すものを含む趣旨である。
【００３４】
また、この封書用シート１は、図２に明示するように、左右両端縁部における上記接着部９の内側に第１ミシン目１１が設けられ、図３及び図５に示すように開封時にこの第１ミシン目１１に沿って上記接着部９を含む左右両端縁部を切り落とし可能に形成されている。一方、封緘片４における貼着部分、すなわち封緘用接着部１０よりも封筒本体片３ｂ寄りに封書用シート１の幅方向に沿って第２ミシン目１２が設けられ、図３及び図４に示すように、封緘片９における封緘用接着部１０を一対の封筒本体片３から切り離し可能に形成されている。なお、これらのミシン目１１，１２は適宜省略することができ、また上記ミシン目１１，１２に替えて切断指示線を設けるものであっても良い。上記のようにミシン目１１，１２を省略した場合には、例えばはさみ等の切断手段により接着部９が切り落とされ、あるいは封緘用接着部１０が切り離される。また、ミシン目１２の位置は適宜変更することができ、折目２１と一致させて設けるものであってもよく、或いは折目２１から封筒本体片３ｂ寄りに設けるものであってもよい。
【００３５】
次に、本実施形態に係る封書用シート１の製造方法及びこの封書用シート１により内封物一体型の封筒２を形成する方法について説明する。
【００３６】
まず、幅が定形郵便の長辺長さに設定され無地または予め下地が印刷された長尺シートにおける同一面に宛名情報欄６及び個人情報欄８を印刷し、あるいはこれらの欄を空白部として設ける。そして、この長尺シートにおける上記した所定箇所に第１ミシン目１１及び第２ミシン目１２を形成するとともに、封書用シート１の上記した所定箇所に感圧接着剤を塗布乾燥させて接着部９及び封緘用接着部１０を形成して、封書用シート１を製造する。この封書用シート１には、予め折目が設けられていてもよいが、封筒２形成時に後述の折り機等により折目を形成してもよい。
【００３７】
そして、この封書用シート１における宛名情報欄６に宛名情報及び個人情報欄８にその宛名情報に対応する個人情報を片面印字プリンターによる一連の工程により印字する。また、上記宛名情報と個人情報の印字前または印字後に、必要に応じ、上記封書用シート１の表裏両面における一定空白部分に例えば広告や送り主等の各種情報を印刷あるいは印字するようにしてもよい。
【００３８】
次に、上記処理がなされた封書用シート１を、折り機等により、長手方向に折り畳む。具体的には、図１において、折目２２を山折りし、折目２３を谷折りすると共に、折目２４を山折りする。すなわち、情報シート片５を蛇腹状に３回にわたって折り返し、図４及び図６に示すように、情報シート片５を折り畳む。
【００３９】
そして、上記封書用シート１と別個独立の内封物を封入しない場合には、この一対の封筒本体片３ａ，３ｂ間の折目２０及び封筒本体片３と封緘片４との間の折目２１を山折りする。すなわち情報シート片５を内側に折り込んだ状態で、図６に示すように、折り畳まれた状態の情報シート片５の周りを一対の封筒本体片３ａ，３ｂ及び封緘片４とによって巻き込み、封書用シート１を長手方向に折り畳む。次に、この長手方向に折り畳まれた封書用シート１をローラー等を用いて所定条件下で加圧し、或いは加熱加圧して、図４及び図５に示すように、これにより接着部９及び封緘用接着部１０に塗布された感圧接着剤同士が接着し、折り畳み状態において重なり合う上記情報シート片５を含む封書用シート１の左右両端縁部、及び封緘片４と封筒本体片３の一側縁部とが一工程で接着されることとなる。
【００４０】
一方、上記封書用シート１と別個独立の内封物を封入する場合には、一対の封筒本体片３ａ，３ｂ間の折目２０を山折りした後、上記封緘片４と一対の封筒本体片３ａ，３ｂとの間の折目２１を折り返す前に、この折り畳み状態にある情報シート片５を含む封書用シート１を上記所定条件下で加圧、或いは加熱加圧して一方向に開口する封筒２を形成する。そして、この封筒２を例えば封入封緘機の吸いだこによりその両側から吸い上げて上記開口を拡開させ、一対の封筒本体片３ａ，３ｂのうちの封緘片４が連設された封筒本体片３ｂと、この封筒本体片３ｂ内面に当接されている情報シート片５との間に別個独立の内封物を挿入する。
このとき、一対の封筒本体片３ａ，３ｂのうちの情報シート片５が連設された封筒本体片３ａに設けられた吸気小孔７及び上記所定情報シート片５に設けられた吸気小孔７により、一方の封筒本体片３ａ側の吸いだこによる吸引力が、上記他方の封筒本体片３ｂ内面に当接されている情報シート片５に伝達される。したがって、別個独立の内封物を封入する場合に、複数の情報シート片５をこれらの情報シート片５が連設された一方の封筒本体片３ａ側に偏位させた状態で、封筒２の開口を拡開させることができ、別個独立の内封物を容易に封入することができる。
【００４１】
そして、最後に、封緘片４をその折目２１で折り返して、所定条件下でさらに加圧、或いは加熱加圧して、独立の内封物を封入した封筒２を形成する。
【００４２】
そして、この封筒２を開封する場合には、第１ミシン目１１に沿って封筒２の接着部９を切り落とすと共に、第２ミシン目１２に沿って封緘片４における封緘用接着部１０を切り離すことにより簡単に行うことができる。開封後に封書用シート１を広げることにより、情報シート片５に印字された個人情報を読み取ることができる。
【００４３】
なお、以上に本実施形態に係る封書用シート１について説明したが、この発明に係る封書用シート１は、上記実施形態に限定されるものではなく、その趣旨を逸脱しない範囲で種々の変更が可能である。例えば、以下のような変更が可能である。
【００４４】
一対の封筒本体片３ａ，３ｂと情報シート片５との間にミシン目を形成して、封筒２を開封した後、情報シート片５を切り離すように構成しても良く、このように構成した場合には、情報シート片５の保存等に便利である。また、各情報シート片５ごとに、あるいは一部の情報シート片５を切り離すことができるように、ミシン目を設けるようにしても良い。
【００４５】
また、上記実施形態では、封筒形成用接着部９が連続的に設けられたものについて説明したが、封筒形成用接着部９が断続的に設けられているものであっても良い。この封筒形成用接着部が断続的に設けられる場合には、封筒形成用接着部が相互に不連続の複数の単位接着部からなり、これらの単位接着部が長さ方向に微小間隔をあけて設けられている場合や、これらの単位接着部が長さ方向に一部重複するような状態で千鳥状に配設されている場合等も含まれる。
【００４６】
【発明の効果】
以上のように、本発明に係る封筒形成用シートは、略平行な折目に沿って折り畳み、所定箇所を接着することにより内封物が封入された封筒を形成する封書用シートであって、上記封筒の外周面を構成する一対の封筒本体片と、該一対の封筒本体片の一端部に折目を介して連設される封緘片と、上記一対の封筒本体片の他端部に折目を介して連設され上記内封物を構成する一片ないし複数片の情報シート片とを有し、該情報シート片を内側に折り込む折り畳み状態で重なり合う面の幅方向両縁部に接着部が連続的または断続的に設けられる一方、上記封緘片を折り返した状態で上記封筒本体片と重なり合う面に上記封筒の開口を封緘するための封緘用接着部が設けられ、上記接着部及び封緘用接着部に塗布される接着剤が、各接着部同士が重ね合わされた状態で加圧されることにより接着される感圧接着剤であることを特徴とするので、封書用シートと別個独立の内封物を封入しない場合には、加圧するという一工程で内封物一体とした封筒を形成することができ、接着剤ごとに接着する手間が省け、簡易且つ迅速に封入封緘することができる。しかも、例えば封筒内に別個独立の内封物を封入する場合には、封緘片を封筒本体に重ね合わせない状態で加圧することにより、封緘用接着部に支障を来すことなく封緘片側に開口した封筒を形成することができ、この開口から別個独立の内封物を封筒内に挿入することができる。したがって、別個独立の内封物を封入する場合にも使用することができ、その使用にあたっての利便性が向上する。また、接着部と封緘用接着部とに塗布される接着剤が同一のものであるので、一連の塗布作業で作製することができ、この封書用シートを簡易に作製することができる。
【図面の簡単な説明】
【図１】本実施形態に係る封書用シート示す平面図である。
【図２】同封書用シートを示す背面図である。
【図３】本実施形態に係る封書用シートにより形成された内封物一体型の封筒を示す平面図である。
【図４】図３におけるＩＶ−ＩＶ線断面図である。
【図５】図３におけるＶ−Ｖ線断面図である。
【図６】同封書の製作過程を示す説明図である。
【符号の説明】
１　封書用シート
２　封筒
３　封筒本体片
４　封緘片
５　情報シート片
６　宛名情報欄
７　吸気小孔
８　個人情報欄
９　封筒形成用接着部
１０　封緘用接着部
【図１】
2004131115.tif 000003
【図２】
2004131115.tif 000004
【図３】
2004131115.tif 000005
【図４】
2004131115.tif 000006
【図５】
2004131115.tif 000007
【図６】
2004131115.tif 000008